(57)【要約】【課題】蓄熱によってポンピングチューブの寿命が短縮される問題を解決して、寿命を延ばすことができるスクィーズポンプを提供する。【解決手段】ポンピングチューブ４及びポンピングチューブ４を受持するケーシング内壁面７を冷却する冷却手段Ｇを付設する。冷却手段Ｇが、ケーシング８に突設されたフィン９から成る。【選択図】　図１
2004011570.tif 000002
【特許請求の範囲】
【請求項１】
ポンピングチューブ４及び該ポンピングチューブ４を受持するケーシング内壁面７を冷却する冷却手段Ｇを付設したことを特徴とするスクィーズポンプ。
【請求項２】
冷却手段Ｇが、ケーシング８に突設されたフィン９から成る請求項１記載のスクィーズポンプ。
【請求項３】
冷却手段Ｇが、冷却用エアーを送るファン１０から成る請求項１記載のスクィーズポンプ。
【請求項４】
冷却手段Ｇが、冷却用媒体Ｓが通過するようにケーシング８の外周壁１４に一体に形成された流路１５と、上記冷却用媒体Ｓを上記流路１５に送るポンプＰとを備えた請求項１記載のスクィーズポンプ。
【請求項５】
冷却手段Ｇが、ロータリ軸１から冷却用媒体Ｓをケーシング８に内部噴出するように構成されている請求項１記載のスクィーズポンプ。
【発明の詳細な説明】
【０００１】
【発明の属する技術分野】
本発明は、スクィーズポンプに関する。
【０００２】
【従来の技術】
一般に、スクィーズポンプは、補強繊維を有するゴムチューブ（ポンピングチューブ）を備えている。
【０００３】
【発明が解決しようとする課題】
しかし、スクィーズポンプを運転すると、ローラ、ロータリ軸、及び、ケーシングに蓄熱が発生し、ゴムチューブは、天然ゴムから成るため、８０℃〜９０℃で膨潤することにより、摩耗しやすくなり、急に寿命が落ちていた。すなわち、補強繊維とゴムチューブとの接着力が急に低下し、また、ゴムチューブの表面が溶解しやすくなっていた。そして、耐久性が悪くなり、長時間の運転が困難であるとともに、ポンピングチューブの復元に手間がかかっていた。
【０００４】
そこで、本発明は、蓄熱によってポンピングチューブの寿命が短縮される問題を解決して、寿命を延ばすことができるスクィーズポンプを提供することを目的とする。また、長時間にわたって運転することができるスクィーズポンプを提供することを他の目的とする。また、高圧化、高速化、及び、小型化することができるスクィーズポンプを提供することを別の目的とする。
【０００５】
また、亜熱帯環境にて使用することができるスクィーズポンプを提供することを他の目的とする。また、高温の被搬送物に使用することができるスクィーズポンプを提供することを他の目的とする。また、夏や炎天下でも長時間使用することができるスクィーズポンプを提供することを他の目的とする。
【０００６】
【課題を解決するための手段】
上述の目的を達成するために、本発明に係るスクィーズポンプは、ポンピングチューブ及び該ポンピングチューブを受持するケーシング内壁面を冷却する冷却手段を付設したものである。
【０００７】
また、冷却手段が、ケーシングに突設されたフィンから成るものである。また、冷却手段が、冷却用エアーを送るファンから成るものである。また、冷却手段が、冷却用媒体が通過するようにケーシングの外周壁に一体に形成された流路と、上記冷却用媒体を上記流路に送るポンプとを備えたものである。また、冷却手段が、ロータリ軸から冷却用媒体をケーシングに内部噴出するように構成されているものである。
【０００８】
【発明の実施の形態】
以下、実施の形態を示す図面に基づき、本発明を詳説する。
【０００９】
図１は、本発明の第１の実施の形態を示す。このスクィーズポンプは、ロータ３０のロータリ軸１を矢印Ｋ方向に回転させ、ロータ３０に枢着されたローラ２，２が回転する。ローラ２が、ポンピングチューブ４を順次変形させることにより、流入部５から矢印Ｘ方向にポンピングチューブ４に流入した被搬送物（図示省略）を、絞り出すように、矢印Ｙ方向に搬送し、吐出部６から矢印Ｚ方向に吐出させる。このときローラ２は自転する。なお、２７…は、ローラ２，２が、ロータリ軸１の軸方向に変移するのを防ぐためのガイドローラを示す。
【００１０】
本発明に係るスクィーズポンプには、ポンピングチューブ４及びポンピングチューブ４を受持するケーシング内壁面７を冷却する冷却手段Ｇが付設される。具体的には、冷却手段Ｇが、ケーシング８に突設されたフィン９…から成る。フィン９…によりケーシング８の（内側よりも）外側の表面積（伝熱面積）が増大し、自然放熱が促進される。フィン９は、熱伝導性の高い材料から成るのが好ましく、このとき、高い放熱効果が得られる。
【００１１】
図２及び図３は、第２の実施の形態を示す。冷却手段Ｇが、フィン９…と、冷却用エアーを送るファン１０から成る。ファン１０は、ケーシング８の外部に設けられ、ロータリ軸１と同軸として回転駆動され、ケーシング８にエアーを送る。ケーシング８は、窓部１１…を有し、エアーが流入・流出可能として、ケーシング８内部及びポンピングチューブ４、さらに、ロータ３０等をも冷却する。
【００１２】
図４は、第３の実施の形態を示す。冷却手段Ｇが、冷却用エアーを送るファン１０から成る。ファン１０は、ケーシング８の内部に設けられる。スクィーズポンプを、コンパクト化できる。なお、このとき、図２のように窓部１１をケーシング８に開設しておく必要がある。
【００１３】
図５は、第４の実施の形態を示す。ファン１０は、複数のギア１２…を介して、ロータリ軸１と連結され、増速回転駆動されている。ファン１０は、ロータリ軸１の回転速度よりも早く回転し、ケーシング８により多くの冷却用エアーを送ることができ、冷却効果を高める。
【００１４】
図６は、第５の実施の形態を示す。ファン１０は、ケーシング８の内部に設けられ、ポンピングチューブ４に、冷却用エアーを送るように構成される。また、ロータリ軸１と、多段階のギア１２…を介して、連結され、増速回転駆動されている。
【００１５】
図７は、第６の実施の形態を示す。このスクィーズポンプは、エアーを冷却するためのクーラー１３を備える。クーラー１３にて、エアーを外気温度よりも低い温度に冷却して、低温の冷却用エアーを、ファン１０からケーシング８に送る。より一層、冷却効果を高めることができる。即ち、冷却手段Ｇは、ポンプＰとクーラー１３とファン１０等から、構成される。
【００１６】
図８及び図９は、第７の実施の形態を示す。冷却手段Ｇが、水やクーラント等から成る冷却用媒体Ｓが通過するようにケーシング８の外周壁１４に一体に形成された流路１５と、冷却用媒体Ｓを流路１５に送るポンプＰとを備える。流路１５は、ジグザグ状に形成される。
【００１７】
１７は、冷却用媒体Ｓが流路１５を通過するうちに熱をもつので、その冷却用媒体Ｓの温度を下げるためのオイルクーラーやラジエター等から成る冷却装置を示す。１８は、冷却用媒体Ｓを溜めるタンクを示す。また、１９は、流路１５と冷却装置１７とを連設する流路を示し、２０は、冷却装置１７を通過後の冷却用媒体Ｓをタンク１８に戻すための流路を示す。
【００１８】
冷却用媒体Ｓの循環経路を説明すると、まず、タンク１８から、ポンプＰによって、冷却用媒体が、流路１５に送られて、流路１５を通過する。冷却用媒体Ｓによって、ポンピングチューブ４及びケーシング８等の放熱を促進することができる。また、流路１５はジグザグ状なので、冷却用媒体Ｓがケーシング内壁面７を冷却する時間が長くなり、高い冷却効果を得ることができる。流路１５を通過した冷却用媒体Ｓは、流路１９を通過して冷却装置１７に送られ、冷却装置１７を通過して温度を下げられた後、流路２０を経て、タンク１８に戻る。
【００１９】
図１０及び図１１は、第８の実施の形態を示す。冷却手段Ｇが、ロータリ軸１から冷却用媒体Ｓをケーシング８に内部噴出するように構成されている。具体的には、ロータリ軸１は、内部に流路２２を有する中空軸とするとともに、ロータリ軸１の内部と外部を連通する孔２８…を有し、かつ、ポンプＰからの冷却用媒体Ｓが送られる流路（配管）３１と接続する回転継手（図示省略）を備えている。ケーシング８は、冷却用媒体Ｓを外部へ吐出するための吐出孔２３を有する。２４は、吐出孔２３から吐出された冷却用媒体Ｓを、タンク１８に戻すための流路を示す。
【００２０】
冷却用媒体Ｓの循環経路を説明すると、まず、タンク１８から、ポンプＰによって、冷却用媒体Ｓが、流路（配管）３１及び回転継手を経て、ロータリ軸１に送られる。冷却用媒体Ｓは、（ロータリ軸１の内部に形成された）流路２２を通過し、孔２８…からケーシング８に矢印Ｂのように内部噴出する。これによって、ケーシング８内部、特に、ロータ３０及びローラ２とポンピングチューブ４とケーシング内壁面７を、冷却する。
【００２１】
その後、冷却用媒体Ｓは、吐出孔２３から外部へ吐出され、流路２４を通過して、タンク１８に戻される。図１０中、２点鎖線にて示すように、流路２４に冷却装置１７を介在させるも好ましい。
【００２２】
図１２は、第９の実施の形態を示す。冷却手段Ｇが、ケーシング８の外周壁１４に一体に形成された流路１５を備えるとともに、ロータリ軸１から冷却用媒体Ｓをケーシング８に（矢印Ｂのように）内部噴出するように構成されている。冷却用媒体Ｓを流路１５及び流路２２に送るポンプＰを備える。
【００２３】
冷却用媒体Ｓの循環経路を説明すると、まず、タンク１８から、ポンプＰによって、冷却用媒体Ｓが、流路１５及び流路２２に送られる。流路１５を通過してケーシング８を直接的に冷却した冷却用媒体Ｓは、流路１９を通過して、タンク１８に戻される。一方、ロータリ軸１の流路２２を通過した冷却用媒体Ｓは、矢印Ｂのように放射状に噴出して、ロータ３０とローラ２とポンピングチューブ４とケーシング内壁面７等の熱を奪って後に、吐出孔２３から流出し、流路２４を通過して、タンク１８に戻される。図１２中、２点鎖線にて示すように、流路１９に冷却装置１７を介在させるも好ましい。
【００２４】
図１３は、第１０の実施の形態を示す。２６は、吐出孔２３から吐出された冷却用媒体Ｓを、流路１９に合流させるための流路を示す。この流路２６には別にポンプＰ′を付設しておく。
冷却用媒体Ｓの循環経路を説明すると、まず、タンク１８から、ポンプＰによって、冷却用媒体Ｓが、流路１５及び流路２２に送られる。流路１５を通過した冷却用媒体Ｓは、流路１９を通過して、タンク１８に戻される。一方、流路２２を通過した冷却用媒体Ｓは、順次、吐出孔２３、ポンプＰ′流路２６、流路１９を通過して、タンク１８に戻される。図１３中、２点鎖線にて示すように、流路１９に冷却装置１７を介在させるも好ましい。
【００２５】
図１４は、第１１の実施の形態を示す。このスクィーズポンプは、冷却用媒体Ｓを流路１５に送るポンプＰ１と、冷却用媒体Ｓを流路２２に送るポンプＰ２を、備える。
冷却用媒体Ｓの循環経路を説明すると、まず、タンク１８から、ポンプＰ１によって、冷却用媒体Ｓが、流路１５に送られるとともに、ポンプＰ２によって、冷却用媒体Ｓが、流路２２に送られる。なお、流路２６には別にポンプＰ′を付設しておく。
【００２６】
流路１５を通過した冷却用媒体Ｓは、流路１９を通過して、タンク１８に戻される。一方、流路２２を通過した冷却用媒体Ｓは、順次、吐出孔２３、ポンプＰ′流路２６、流路１９を通過して、タンク１８に戻される。図１４中、２点鎖線にて示すように、流路１９に冷却装置１７を介在させるも好ましい。
ポンプＰ１及びポンプＰ２のうち一方が故障しても、他方の駆動により、ポンピングチューブ４を冷却することができる。
【００２７】
なお、本発明は、設計変更可能であって、例えば、ファン１０を、ロータリ軸１と同軸とはしないで、他の駆動源（モータ）にて回転駆動するも良い。また、ファン１０，１０を、ケーシング８の内部と外部にそれぞれ設けるも良い。また、冷却手段Ｇとして、上述の実施の形態以外に、ケーシング８自体を冷蔵庫内部と同様に、ガス圧縮式にて冷却させても、良い。即ち、圧縮器と凝縮器と毛細管と蒸発器等から成る閉じた冷媒回路内を、順次流して、少なくともケーシング内壁面７を冷却するように構成する。
【００２８】
【実施例】
実施例として、図８に示すようなスクィーズポンプを製造した。このスクィーズポンプのポンピングチューブ４の寿命は、　５８０時間以上であった。なお、従来の（冷却手段Ｇを具備しない）スクィーズポンプ（比較例）に於けるポンピングチューブ４の寿命は、約　３００時間であった。
【００２９】
【発明の効果】
本発明は、上述の如く構成されるので、次に記載する効果を奏する。
【００３０】
（請求項１によれば）蓄熱によってポンピングチューブ４の寿命が短縮される問題を解決して、寿命を延ばすことができる。すなわち、蓄熱を防止することができる。また、長時間にわたって運転することができる。また、高圧化、高速化、及び、小型化することができる。また、亜熱帯環境にて使用することができる。また、高温の被搬送物に使用することができる。また、夏や炎天下でも長時間使用することができる。
【００３１】
（請求項２によれば）自然放熱により、ケーシング８及びポンピングチューブ４等を冷却することができるので、冷却手段用に特別な駆動源を設ける必要がなく、低コストで駆動させることができる。
（請求項３によれば）簡単な構造にて、ケーシング８及びポンピングチューブ４等を冷却することができる。
【００３２】
（請求項４によれば）確実にポンピングチューブ４を高効率で冷却することができる。
（請求項５によれば）摩擦熱の発生する箇所、すなわち、ケーシング８内部に存在するポンピングチューブ４、ロータ３０、ローラ２、ガイドローラ２７、及び、ケーシング内壁面７等を、直接冷却するので、高い冷却効果を得ることができる。
【図面の簡単な説明】
【図１】本発明の第１の実施の形態を示す断面正面図である。
【図２】第２の実施の形態を示す断面正面図である。
【図３】平面図である。
【図４】第３の実施の形態を示す平面図である。
【図５】第４の実施の形態を示す平面図である。
【図６】第５の実施の形態を示す平面図である。
【図７】第６の実施の形態を示す説明図である。
【図８】第７の実施の形態を示す説明図である。
【図９】図８のＡ−Ａ断面図である。
【図１０】第８の実施の形態を示す説明図である。
【図１１】ロータリ軸を示す斜視図である。
【図１２】第９の実施の形態を示す説明図である。
【図１３】第１０の実施の形態を示す説明図である。
【図１４】第１１の実施の形態を示す説明図である。
【符号の説明】
１　ロータリ軸
４　ポンピングチューブ
７　ケーシング内壁面
８　ケーシング
９　フィン
１０　ファン
１４　外周壁
１５　流路
３０　ロータ
Ｇ　冷却手段
Ｐ　ポンプ
Ｓ　冷却用媒体
【図１】
2004011570.tif 000003
【図２】
2004011570.tif 000004
【図３】
2004011570.tif 000005
【図４】
2004011570.tif 000006
【図５】
2004011570.tif 000007
【図６】
2004011570.tif 000008
【図７】
2004011570.tif 000009
【図８】
2004011570.tif 000010
【図９】
2004011570.tif 000011
【図１０】
2004011570.tif 000012
【図１１】
2004011570.tif 000013
【図１２】
2004011570.tif 000014
【図１３】
2004011570.tif 000015
【図１４】
2004011570.tif 000016